(57)【要約】      （修正有）【課題】縦向きと横向きの折り畳み機能を具え、かつ操作が簡単で順調に行える、乳母車の折り畳み装置を提供する。【解決手段】上端が上フレーム１に接続され、下端に前輪を具えた前輪脚フレームと折り曲げ可能なフットパイプが設けられた下フレーム２、該下フレームの両側に設けられて底端に後輪を具え、中間に第１スライドブロック３２を具え、該第１スライドブロックと該上フレーム及び該下フレームとの間にプルロッド３３が接続され、上端に係止ロッドを具えた後輪脚フレーム３、該上フレーム及び下フレームと該後輪脚フレームとの間に設けられ、並びにこれら三者を接続し位置決めし、切欠きを具えた内ギアと外ギアが設けられて、該係止ロッドと係合或いは係合解除する折り畳み関節４、二つの該後輪脚フレームの間に設けられ、若干のパイプフレーム、スライドブロック５５，５６と連接ロッド５７，５８，５９及び起動部品５４を具え、該起動部品がワイヤ５０で該係止ロッドに接続された連動機構５を具える。【選択図】図６
0003167132.tif 000002
【実用新案登録請求の範囲】
【請求項１】
乳母車の折り畳み装置において、
上端に折り曲げ可能なハンドルが設けられた上フレームと、
上端が該上フレームに接続され、底端に前輪を具えた前輪脚フレームと折り曲げ可能なフットパイプが設けられた下フレームと、
該上フレーム、該下フレームの該下フレームの両側に設けられて底端に後輪を具え、中間に第１スライドブロックを具え、該第１スライドブロックと該上フレーム及び該下フレームとの間にプルロッドが接続され、上端に係止ロッドを具えた後輪脚フレームと、
該上フレーム及び下フレームと該後輪脚フレームとの間に設けられ、並びにこれら三者を接続し位置決めし、切欠きを具えた内ギアと外ギアが設けられて、該切欠きが該係止ロッドと係合或いは係合解除する折り畳み関節と、
二つの該後輪脚フレームの間に設けられ、若干のパイプフレーム、スライドブロックと連接ロッド及び起動部品を具え、該起動部品がワイヤで該係止ロッドに接続された連動機構と、
を具えたことを特徴とする、乳母車の折り畳み装置。
【請求項２】
請求項１記載の乳母車の折り畳み装置において、該後輪脚フレームの係止ロッドは係止シートに設けられ、該径壊死シートの下方にバネが設置されたことを特徴とする、乳母車の折り畳み装置。
【請求項３】
請求項１記載の乳母車の折り畳み装置において、該折り畳み関節の内ギアと外ギアはそれぞれ該上フレームと下フレームに接続されたことを特徴とする、乳母車の折り畳み装置。
【請求項４】
請求項１記載の乳母車の折り畳み装置において、該連動機構は、
二つの該後輪脚フレームの上端と下端にそれぞれ設けられた、上横管と下横管と、
該上横管と該下横管の間に設けられた中管と、
該中管の上端に設けられて、係止ロッドにワイヤで連接された起動部品と、
該中管の上端と下端に設けられた第２スライドブロックと第３スライドブロックと、
それぞれ該上横管と該下横管及び第１スライドブロック、第２スライドブロック、第３スライドブロックの間に設けられた、第１連接ロッド、第２連接ロッド、第３連接ロッドと、
を包含することを特徴とする、乳母車の折り畳み装置。
【請求項５】
請求項１又は４記載の乳母車の折り畳み装置において、該起動部品は把手とされたことを特徴とする、乳母車の折り畳み装置。
【考案の詳細な説明】
【技術分野】
【０００１】
本考案は一種の乳母車の折り畳み装置に係り、特に、縦向きと横向きに同時に折り畳まれ、且つ操作が簡単で順調に行えるものに関する。
【背景技術】
【０００２】
周知のとおり、乳母車はほとんどが縦向きにのみ折り畳み可能であり、横向きに折り畳めるものは、いずれも折り畳み時に両手で操作する必要があり、複雑で手間取る。並びに折り畳み後の体積は大きすぎ、収納空間と輸送コストが高くつき、このため、改善が待たれている。
【考案の概要】
【考案が解決しようとする課題】
【０００３】
本考案の主要な目的は、縦向きと横向きの折り畳み機能を具え、且つ操作が簡単で順調に行える、乳母車の折り畳み装置を提供することにある。
【０００４】
本考案のもう一つの目的は、折り畳み後の体積が比較的小さい乳母車の折り畳み装置を提供し、折り畳み後の体積を縮限できるようにし、収納と運輸に有利とすることにある。
【課題を解決するための手段】
【０００５】
上述の目的を達成するため、本考案の乳母車の折り畳み装置は、上端に折り曲げ可能なハンドルが設けられた上フレーム、上端が該上フレームに接続され、下端に前輪を具えた前輪脚フレームと折り曲げ可能なフットパイプが設けられた下フレーム、該下フレームの両側に設けられて底端に後輪を具え、中間に第１スライドブロックを具え、該第１スライドブロックと該上フレーム及び該下フレームとの間にプルロッドが接続され、上端に係止ロッドを具えた後輪脚フレーム、該上フレーム及び下フレームと該後輪脚フレームとの間に設けられ、並びにこれら三者を接続し位置決めし、切欠きを具えた内ギアと外ギアが設けられて、該係止ロッドと係合或いは係合解除する折り畳み関節、二つの該後輪脚フレームの間に設けられ、若干のパイプフレーム、スライドブロックと連接ロッドを具えた連動機構、及び、ワイヤにより該係止ロッドに接続された起動部品、以上を具えている。
【考案の効果】
【０００６】
本考案は、縦向きと横向きに同時に折り畳まれ、且つ片手で操作でき、折り畳み後の体積を従来のものよりも縮限でき、収納及び運輸に有利で、且つ折り畳み操作が簡単で順調に行える。
【図面の簡単な説明】
【０００７】
【図１】本考案の展開時の立体図である。
【図２】本考案中のハンドルの断面図である。
【図３】本考案中のハンドルの折り畳み表示図である。
【図４】本考案中のフットパイプの折り畳み表示図である。
【図５】本考案中の第１スライドブロックの拡大立体図である。
【図６】本考案中の後輪脚フレーム、折り畳み関節及び連動機構の立体図である。
【図７】本考案中の後輪脚フレーム、折り畳み関節の立体分解図である。
【図８】本考案中の後輪脚フレーム、折り畳み関節の断面図である。
【図９】本考案中の連動機構の動作表示図である。
【図１０】本考案中の後輪脚フレーム及び折り畳み関節の動作表示図である。
【図１１】本考案の折り畳み（展開）時の動作表示図である。
【図１２】本考案の完全折り畳み時の立体図である。
【図１３】本考案の完全折り畳み時の車輪とハンドルを除いた側面図である。
【考案を実施するための形態】
【０００８】
本考案の技術内容、構造特徴、達成する目的を詳細に説明するため、以下に実施例を挙げ並びに図面を組み合わせて説明する。
【０００９】
図１から図８を参照されたい。本考案は、上フレーム１、下フレーム２、後輪脚フレーム３、折り畳み関節４、連動機構５を包含する。
【００１０】
該上フレーム１は、逆Ｕ形を呈し、上端にハンドル１１が設けられ、該ハンドル１１には折り曲げ機構１０が設けられ、該折り曲げ機構１０は、ハンドル１１、位置決めギア１４及びバネ１５を包含する。
【００１１】
該ハンドル１１は、左半部と右半部に分けられ、両端は上フレーム１と回転軸１２と軸キャップ１３を介して接続され、これによりハンドル１１が自由回転し且つ上フレーム１より離脱しないものとされる。
【００１２】
該位置決めギア１４とバネ１５は、該ハンドル１１の中間に設けられ、上下が押しボタン１６及び固定ピン１７で位置決めされ、該位置決めギア１４はそれぞれ右半部のハンドル１１上面及び左半部のハンドル１１底面に設けられた歯溝１８と対応して噛み合い、左半部と右半部のハンドルが位置決めギアにより相互に固定されて折り曲げ不能とされ、押しボタン１６が押されることにより、該位置決めギア１４が歯溝１８と離脱し、これによりハンドル１１を折り曲げられ、図２、３に示されるようである。
【００１３】
該下フレーム２は、Ｕ形を呈し、上端が上フレーム１に接続され、底端は軸スリーブ２１により前輪脚フレーム２２とフットパイプ２３に連結されている。該前輪脚フレーム２２の末端には前輪２４がある。該フットパイプ２３は左半部と右半部に分けられ、中間に折り曲げ機構２０があり、これによりフットパイプ２３が折り曲げ可能とされ、図４に示されるとおりである。
【００１４】
該後輪脚フレーム３は、上フレーム１、下フレーム２の両側に設けられ、底端に後輪３１が接続され、中間に第１スライドブロック３２が設けられ、図５に示されるように、該第１スライドブロック３２の外側には二つの側部軸孔３２１と一つの前部軸孔３２２が設けられ、二つの該側部軸孔３２１は二つのプルロッド３３がそれぞれ上フレーム１、下フレーム２と接続するのに使用され、該後輪脚フレーム３は該第１スライドブロック３２の上端に位置し、横管ベース３４、バネベース３５、バネ３６、及び係止シート３７を包含し、該係止シート３７には係止ロッド３７１が設けられている。
【００１５】
該折り畳み関節４は上フレーム１、下フレーム２と後輪脚フレーム３の間に設けられて、三者を連接固定する。図６から図８に示されるように、該折り畳み関節４は、内蓋４１と外蓋４２、内ギア４３と外ギア４４を包含する。
【００１６】
該内蓋４１と外蓋４２はそれぞれ後輪脚フレーム３の内側と外側に固定される。該内ギア４３と外ギア４４は、それぞれ内蓋４１と外蓋４２の内側に設けられ、並びに上フレーム１、下フレーム２に接続され、該内ギア４３と外ギア４４にはそれぞれ切欠き４３１、４４１が設けられている。
【００１７】
該連動機構５は二つの後輪脚フレーム３の間に設けられ、図６から図８に示されるように、複数のパイプフレーム、スライドブロック及び連接ロッド及び起動部品を具えている。
【００１８】
該起動部品はワイヤで係止ロッド３７１に連接され、これにより、係止ロッド３７１を制御して、内ギアと外ギアの切欠き４３１、４４１との係合と離脱を制御し、折り畳みと展開を可能とする。
【００１９】
該連動機構５は、上横管５１、下横管５２、中管５３、起動部品５４、第２スライドブロック及び第３スライドブロック５６、第１連接ロッド５７、第２連接ロッド５８、第３連接ロッド５９を包含する。
【００２０】
該上横管５１と下横管５２は、それぞれ二つの後輪脚フレーム３の上端と下端に設けられ、中間にはそれぞれベース５１１、５２１を具え、これにより、上横管５１、下横管５２が折り畳み可能とされている。
【００２１】
該中管５３は、上横管５１、下横管５２（ベース５１１、５２１）の間に設けられ、その上端は上横管５１より突出している。
【００２２】
該起動部品５４は、たとえば把手或いはプルリングとされ、中管５３（ベース５１１）の上端に設けられ、ワイヤ５０により係止シート３７（係止ロッド３７１）に接続され、その中段は上横管５１と後輪脚フレーム３の間に伸入内蔵される。図９も参照されたい。
【００２３】
該第２スライドブロック５５と第３スライドブロック５６は、それぞれ該中管５３の上端と下端に設けられる。
【００２４】
該第１連接ロッド５７の両端は、それぞれ上横管５１と第２スライドブロック５５に接続され、第２連接ロッド５８の両端は、それぞれ第１スライドブロック３２（正面軸孔３２２）と第２スライドブロック５５に接続され、第３連接ロッド５９の両端は、それぞれ下横管５２と第３スライドブロック５６に接続される。
【００２５】
以上の構造により、本考案は展開状態時に、図１、２、８に示されるように、ハンドルの折り曲げ機構１０の位置決めギア１４と歯溝１８が噛み合い状態を呈し、係止ロッド３７１は内ギアと外ギアの切欠き４３１、４４１と係合し、連動機構の把手５４は平置き状態を呈する。
【００２６】
折り畳みたい時には、まず、ハンドルの折り曲げ機構の押しボタン１６を押して、ハンドル１１を折り曲げることができ、図２、３に示されるようである。図９、１０のように、その後、さらに連動機構の把手５４（起動部品）を上に起こしてから上に引っ張って、係止ロッド３７１と内ギアと外ギアの切欠き４３１、４４１を離脱させ、同時に、プルロッド３３、第１連接ロッド５７、第２連接ロッド５８、第３連接ロッド５９等の連動により、且つ把手５４の上昇による中管５３の上昇により、上横管５１、下横管５２と第２連接ロッド５８を八字形として内向きに折り畳み、第１スライドブロック３２を下降させ、プルロッド３３を駆動して上フレーム１、下フレーム２を後輪脚フレーム３の方向に折り畳ませ、並びにハンドル１１とフットパイプ２３を駆動し折り畳ませ、図１１の矢印Ａに示されるようであり、最後に折り畳み状態を完成し、図１２、１３に示されるようである。
【００２７】
展開したいときは、ただ片手で、上フレーム１（或いは下フレーム２）を引き上げ、プルロッド３、第１連接ロッド５７、第２連接ロッド５８、第３連接ロッドの連動により、上フレーム１と下フレーム２、及び上横管５１と下横管５２を徐々に外向きに展開させ、且つ、把手５４と中管５３を徐々に下向きに回復させ、図１１の矢印Ｂに示されるようであり、こうして、図１に示される展開状態を回復する。このとき、ハンドル１１とフットパイプ２３はいずれも水平でまっすぐな状態を呈し、且つ係止ロッド３７１は内ギア、外ギアの切欠き４３１、４４１と係合し、図８に示されるようであり、ゆえに、上フレーム１、下フレーム２、及び上横管５１、下横管５２が展開状態で位置決めされる。
【００２８】
以上の説明からわかるように、本考案は少なくとも以下のような優れた点と効果を有し、従来の技術よりも遥かに進歩している。
１．折り畳み時、縦向きに折り畳めるだけでなく、横向きにも折り畳め、展開時も同様である。
２．折り畳み或いは展開の操作が片手で行え、相当に簡単で順調である。
３．折り畳み後の体積が比較的小さく、上フレーム１、下フレーム２或いは二つの後輪脚フレーム３相互に間が、いずれも接近して揃った状態とされ、図１２、１３に示されるように、折り畳み体積を縮限でき、収納、運送に有利である。
【００２９】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３０】
１  上フレーム              １１  ハンドル            １２  回転軸
１３  軸キャップ            １４  ギア                １５、３６  バネ
１６  押しボタン            １７  固定ピン            １８  歯溝
１０、２０  折り曲げ機構                ２  下フレーム
２１  軸スリーブ            ２２  前輪脚フレーム      ２３  フットパイプ
３  後輪脚フレーム          ３１  後輪
３２、５５、５６  スライドブロック
３２１、３２２  軸孔                ３３  プルロッド
３４、３５、５１１、５２１  ベース
３７  係止シート
３７１  係止ロッド          ４  折り畳み関節
４１  内蓋                  ４２  外蓋
４３  内ギア                ４４  外ギア
４３１、４４１  切欠き      ５  連動機構
５１、５２  横管            ５３  中管
５４  起動部品              ５７、５８、５９  連接ロッド
５０  ワイヤ
【図１】
0003167132.tif 000003
【図２】
0003167132.tif 000004
【図３】
0003167132.tif 000005
【図４】
0003167132.tif 000006
【図５】
0003167132.tif 000007
【図６】
0003167132.tif 000008
【図７】
0003167132.tif 000009
【図８】
0003167132.tif 000010
【図９】
0003167132.tif 000011
【図１０】
0003167132.tif 000012
【図１１】
0003167132.tif 000013
【図１２】
0003167132.tif 000014
【図１３】
0003167132.tif 000015